(57)【要約】【課題】暗所においても特別な照明装置を用いずにマクロ撮影を簡単に行えるカメラを提供する。【解決手段】レンズ鏡筒の被写体側の先端部分にＬＥＤ４０を設け、このＬＥＤ４０によりＡＦ補助光の発光、及び、撮影補助照明光の発光が可能にする。また、これとは別にカメラ本体側に閃光発光部３０を設けており、ＬＥＤ４０と閃光発光部３０との選択は、被写体までの距離に応じて行ったり、撮影モードがマクロモードであるか否かにより行ったりする。【選択図】図１
2007133150.tif 000002
【特許請求の範囲】
【請求項１】
撮影光学系と、
前記撮影光学系を支持するレンズ鏡筒と、
前記レンズ鏡筒の被写体側先端部に設けられ、撮影時に被写体を照明する撮影補助照明光、及び、暗所における自動焦点動作時のＡＦ補助照明光のいずれも発光可能な発光ダイオードにより形成された鏡筒先端発光部と、
を備えるカメラ。
【請求項２】
請求項１に記載のカメラにおいて、
前記レンズ鏡筒は、カメラの不使用時にその全長が短い収納状態となること、
を特徴とするカメラ。
【請求項３】
請求項１又は請求項２に記載のカメラにおいて、
前記レンズ鏡筒は、前記撮影光学系を支持する円筒状の部材の中心と前記撮影光学系の光軸とが偏芯しており、
前記鏡筒先端発光部は、前記撮影光学系の光軸が前記円筒部材の中心から偏芯した方向とは反対方向に配置されていること、
を特徴とするカメラ。
【請求項４】
請求項１から請求項３までのいずれか１項に記載のカメラにおいて、
前記鏡筒先端発光部よりも発光量の大きな撮影補助照明光を発光可能な主照明光発光部を備え、
被写体までの距離に応じて前記主照明光発光部と前記鏡筒先端発光部とを切り替えて発光させる発光制御部を有すること、
を特徴とするカメラ。
【請求項５】
請求項１から請求項３までのいずれか１項に記載のカメラにおいて、
被写体までの距離が短い場合に適した撮影条件を自動的に設定するマクロモードに切り替えるマクロモード切替部を備え、
前記マクロモード切替部によりマクロモードに設定されたときには、前記発光制御部は、前記鏡筒先端発光部により撮影補助照明光を発光すること、
を特徴とするカメラ。
【請求項６】
請求項１から請求項５までのいずれか１項に記載のカメラにおいて、
前記レンズ鏡筒内にあって前記撮影光学系の光路を遮断するシャッタ部と、
前記鏡筒先端発光部への電気配線、及び、前記シャッタ部への電気配線が形成された一枚のフレキシブルプリント配線板と、
を備えること、
を特徴とするカメラ。
【請求項７】
請求項１から請求項６までのいずれか１項に記載のカメラにおいて、
前記鏡筒先端発光部は、複数個設けられており、
前記鏡筒先端発光部の発光個数が変更可能であること、
を特徴とするカメラ。
【発明の詳細な説明】
【技術分野】
【０００１】
本発明は、レンズ鏡筒の被写体側先端部に、被写体を照明する照明光を発光可能な発光部を備えたカメラに関するものである。
【背景技術】
【０００２】
このようなカメラとして、特許文献１には、マクロフラッシュ部を鏡筒前面に設ける例が開示されている。特許文献１では、マクロフラッシュ部と呼んでいることから、キセノン放電管を用いた閃光発光装置を用いることが想定される。
しかし、そのような閃光発光装置では、メインコンデンサからキセノン放電管への配線に太いリード線を用いる必要があった。これは、フレキシブルプリント配線板等では、放電及びトリガ時の高電圧、高電流値に耐えることができないからである。したがって、特許文献１に記載のマクロフラッシュ部を鏡筒前面に設けるという技術は、実現性がないという問題があった。
【０００３】
このように、鏡筒前面にマクロフラッシュ部を設けることができるのは、特殊なカメラシステムを用いた場合に限られていた。
また、近年のカメラでは、被写体までの距離の短い近接撮影（以下、単にマクロ撮影とする）時の最短撮影距離が数ｃｍであっても撮影できるようになっているが、その場合、一般的なカメラでは、カメラ本体に設けられた閃光発光装置が発光する撮影補助照明光がレンズ鏡筒により遮られてしまい、レンズ鏡筒の影が被写体に映ってしまうという問題があった。
【０００４】
一方、暗所で自動焦点（以下、単にＡＦとする）動作を行う場合、被写体を照明してＡＦ動作可能とするＡＦ補助照明光を発光する場合が多い。このＡＦ補助照明光を発光するＡＦ補助光発光部は、従来、カメラ本体部分に配置されていた。
したがって、マクロ撮影時には、ＡＦ補助照明光がレンズ鏡筒により遮られてしまい、役に立たない場合があるという問題があった。
【０００５】
このように、マクロ撮影時には、ＡＦ補助照明光、及び、撮影補助照明光のいずれもがレンズ鏡筒により遮られてしまうことから、特別な照明装置を用いない限りは、暗所においてマクロ撮影を気軽に楽しめなかった。
【特許文献１】特開平９−１６６７４２号公報（図２５，図８０）
【発明の開示】
【発明が解決しようとする課題】
【０００６】
本発明の課題は、暗所においても特別な照明装置を用いずにマクロ撮影を簡単に行えるカメラを提供することである。
【課題を解決するための手段】
【０００７】
前記課題を解決するために、請求項１の発明は、撮影光学系と、前記撮影光学系を支持するレンズ鏡筒と、前記レンズ鏡筒の被写体側先端部に設けられ、撮影時に被写体を照明する撮影補助照明光、及び、暗所における自動焦点動作時のＡＦ補助照明光のいずれも発光可能な発光ダイオードにより形成された鏡筒先端発光部と、を備えるカメラである。
請求項２の発明は、請求項１に記載のカメラにおいて、前記レンズ鏡筒は、カメラの不使用時にその全長が短い収納状態となること、を特徴とするカメラである。
請求項３の発明は、請求項１又は請求項２に記載のカメラにおいて、前記レンズ鏡筒は、前記撮影光学系を支持する円筒状の部材の中心と前記撮影光学系の光軸とが偏芯しており、前記鏡筒先端発光部は、前記撮影光学系の光軸が前記円筒部材の中心から偏芯した方向とは反対方向に配置されていること、を特徴とするカメラである。
請求項４の発明は、請求項１から請求項３までのいずれか１項に記載のカメラにおいて、前記鏡筒先端発光部よりも発光量の大きな撮影補助照明光を発光可能な主照明光発光部を備え、被写体までの距離に応じて前記主照明光発光部と前記鏡筒先端発光部とを切り替えて発光させる発光制御部を有すること、を特徴とするカメラである。
請求項５の発明は、請求項１から請求項３までのいずれか１項に記載のカメラにおいて、被写体までの距離が短い場合に適した撮影条件を自動的に設定するマクロモードに切り替えるマクロモード切替部を備え、前記マクロモード切替部によりマクロモードに設定されたときには、前記発光制御部は、前記鏡筒先端発光部により撮影補助照明光を発光すること、を特徴とするカメラである。
請求項６の発明は、請求項１から請求項５までのいずれか１項に記載のカメラにおいて、前記レンズ鏡筒内にあって前記撮影光学系の光路を遮断するシャッタ部と、前記鏡筒先端発光部への電気配線、及び、前記シャッタ部への電気配線が形成された一枚のフレキシブルプリント配線板と、を備えること、を特徴とするカメラである。
請求項７の発明は、請求項１から請求項６までのいずれか１項に記載のカメラにおいて、前記鏡筒先端発光部は、複数個設けられており、前記鏡筒先端発光部の発光個数が変更可能であること、を特徴とするカメラである。
【発明の効果】
【０００８】
本発明によれば、レンズ鏡筒の被写体側先端部に設けられ、撮影時に被写体を照明する撮影補助照明光、及び、暗所における自動焦点動作時のＡＦ補助照明光のいずれも発光可能な発光ダイオードにより形成された鏡筒先端発光部を備えるので、暗所においても特別な照明装置を用いずにマクロ撮影を簡単に行える。
【発明を実施するための最良の形態】
【０００９】
暗所においても特別な照明装置を用いずにマクロ撮影を簡単に行えるようにするという目的を、レンズ鏡筒先端部に撮影補助照明光、及び、ＡＦ補助照明光のいずれも発光可能な発光ダイオードを設けることにより実現した。
【実施例】
【００１０】
図１は、本発明のカメラの実施例を示す図である。図１（ａ）は、カメラの正面図であり、図１（ｂ）は、図１（ａ）中に示した矢印ＡＡ部分で切断した断面図であり、沈胴状態（収納状態）を示している。
図２は、レンズ鏡筒が最も繰り出した状態を示す断面図である。
本実施例のカメラは、第１レンズ群Ｌ１，第２レンズ群Ｌ２，第３レンズ群Ｌ３，撮像素子１，ローパスフィルタ２，撮像素子基板３，メイン基板４，液晶表示部５，レリーズ釦６，ベース部材７，固定筒１１，カム筒１２，直進筒１３，１群筒１４，２群筒１５，３群筒１６，シャッタユニット１７，フレキシブルプリント配線板（ＦＰＣ）１８，フォーカスモータ２１，ズームモータ２２，ギア列２３，ギアボックス２４，閃光発光部３０，ＬＥＤ４０等を備えている。
【００１１】
第１レンズ群Ｌ１，第２レンズ群Ｌ２，第３レンズ群Ｌ３は、それぞれ１群筒１４，２群筒１５，３群筒１６に固定され、撮影光学系を形成している。
撮像素子１は、その撮像面に撮影光学系により結像した被写体像を電気信号に変換し、不図示の画像処理部にその電気信号を伝える素子であり、撮像素子基板３に固定されている。
ローパスフィルタ２は、撮像素子１と撮影光学系との間でベース部材７に固定されており、撮影光学系からの撮影光束は、このローパスフィルタ２を通過した後に撮像素子１へ到達する。
撮像素子基板３は、撮像素子１が実装されており、ベース部材７に固定されている。
【００１２】
メイン基板４は、カメラの主要な電気部品が実装されており、後述の液晶表示部５，ＦＰＣ１８，フォーカスモータ２１，ズームモータ２２，閃光発光部３０等が電気的に接続されている。
液晶表示部５は、撮像素子１から得られた被写体像、及び、各種情報表示を行う部分である。
レリーズ釦６は、撮影者が撮影を行うときに操作する操作部材である。
ベース部材７は、撮像素子１及びレンズ鏡筒の土台となる部材である。
【００１３】
固定筒１１は、ベース部材７に固定された略円筒形状の部材であり、その内周にカム溝が形成されている。
カム筒１２は、その外周にカムピン部１２ａを有した略円筒形状の部材であり、このカムピン部１２ａが固定筒１１の内周のカム溝に係合している。カム筒１２には、後述のズームモータ２２の回転駆動力がギア列２３及び不図示の伝達機構を介して伝わり、ズーム動作時に回転する。カム筒１２に回転駆動力が伝わると、カム筒１２は、固定筒１１のカム溝に従い回転しながら直進移動する。また、カム筒１２の内周には、２種類のカム溝が形成されており、１群筒１４及び２群筒１５のカムピン部１４ａ，１５ａが係合している。
【００１４】
直進筒１３は、カム筒１２に相対的に回転可能な状態で取り付けられており、不図示のガイド機構によりカム筒１２の直進移動に伴い回転せずに直進移動する。
１群筒１４は、その外周にカムピン部１４ａを有した略円筒形状の部材であり、カム筒１２のカム溝と係合している。また、１群筒１４は、回転しないように直進筒１３によりガイドされている。そして、カム筒１２の回転を伴った直進移動により、１群筒１４は、回転せずに直進移動を行う。
２群筒１５は、その外周にカムピン部１５ａを有しており、カム筒１２のカム溝と係合している。また、２群筒１５は、回転しないように直進筒１３によりガイドされている。そして、カム筒１２の回転を伴った直進移動により、２群筒１５は、回転せずに直進移動を行う。
【００１５】
３群筒１６は、フォーカスモータ２１の送りねじ２１ａにより直進移動可能に設けられている。第３レンズ群Ｌ３は、フォーカスレンズ群となっており、フォーカスモータ２１を用いた駆動により、合焦動作が行われる。
固定筒１１，カム筒１２，直進筒１３，１群筒１４等のレンズ鏡筒の主要な部分は、略円筒形状の部材となっているが、この中心Ｃと撮影光学系の光軸Ｏとは、偏芯している。図１に示す状態で説明すると、光軸Ｏが、中心Ｃの下方となるように偏芯している。
シャッタユニット１７は、シャッタ板１７ａを開閉する機構を備え、２群筒１５に固定されており、２群筒１５とともに移動する。シャッタユニット１７とメイン基板４との電気的接続は、ＦＰＣ１８により行われている。
フレキシブルプリント配線板（ＦＰＣ）１８は、メイン基板４とシャッタユニット１７との電気的接続の他、後述のＬＥＤ４０とメイン基板４との電気的接続も行っている。
【００１６】
フォーカスモータ２１は、その出力軸に送りねじ２１ａが設けられたモータであり、ベース部材７に固定されている。
ズームモータ２２は、ギアボックス２４内にギア列２３とともに収められている。
閃光発光部３０は、カメラの通常姿勢（図１）においてレンズ鏡筒の上方となるカメラ本体５０に固定されている。閃光発光部３０は、キセノン放電管を使用して閃光を発光するいわゆるエレクトロニック・フラッシュである。
ＬＥＤ４０は、１群筒１４の先端部分に固定された発光ダイオードを用いた鏡筒先端発光部である。このＬＥＤ４０は、光軸Ｏがレンズ鏡筒の中心Ｃから下方（図１における下方）へ偏芯した位置に設けられることにより確保できた第１レンズ群Ｌ１の上方（図１における上方）の空間に配置されている。
【００１７】
次に、本実施例のカメラの動作を、閃光発光部３０及びＬＥＤ４０の発光動作を中心に説明する。
図３は、本実施例のカメラの動作の流れを示す図である。
なお、以下に示す動作において、閃光発光部３０及びＬＥＤ４０の動作は、不図示の発光制御部によりまとめて制御されている。
ステップ（以下、Ｓとする）１では、レリーズ釦６の半押しを待つ。
Ｓ２では、測距動作に十分な被写体の明るさがあるか否かを、撮像素子１により得られている被写体情報から判断する。十分な明るさがある場合には、Ｓ４へ進み、明るさが不十分な場合には、Ｓ３へ進む。
【００１８】
Ｓ３では、ＬＥＤ４０によりＡＦ補助光を発光させる。
Ｓ４では、測距動作を行う。ここで、暗所で撮影を行おうとしている場合であっても、Ｓ３でＬＥＤ４０によりＡＦ補助光が発光されているので、容易に測距動作を行うことができる。また、ＬＥＤ４０は、１群筒１４の先端部分に固定されているので、レンズ鏡筒が大きく繰り出した図２のような状態であっても、レンズ鏡筒によってＡＦ補助光が蹴られて遮られることがなく、常に被写体にＡＦ補助光を照射できる。これは、被写体までの距離が近いマクロ撮影時に特にその効果を発揮できる。
Ｓ５では、撮影時に被写体を照明する撮影補助照明光が必要であるか否かを判断する。撮影補助照明光が必要な場合には、Ｓ６へ進み、撮影補助照明光が不要な場合には、Ｓ９へ進む。
Ｓ６では、被写体までの距離が３０ｃｍ以下であるか否かを判断する。被写体までの距離が３０ｃｍ以下の場合には、Ｓ７へ進み、被写体までの距離が３０ｃｍを超える場合には、Ｓ８へ進む。
【００１９】
Ｓ７では、ＬＥＤ４０により撮影補助照明光を発光する。このステップに来るのは、被写体までの距離が非常に近い場合である。この場合に閃光発光部３０を発光させても、レンズ鏡筒によりその光を蹴ってしまい、被写体にレンズ鏡筒の影が映ってしまう。しかし、ＬＥＤ４０は、１群筒１４の先端部分に固定されているので、被写体を確実に照明できる。また、ＬＥＤ４０の発光光量は、閃光発光部３０の発光光量よりも小さいが、被写体までの距離が近いので、撮影に十分な照明を行える。
Ｓ８では、閃光発光部３０の発光準備を行う。例えば、不図示のメインコンデンサの充電電圧チェックを行ったり、追加充電を行ったりする。
Ｓ９では、レリーズ釦６の全押しを待つ。
Ｓ１０では、撮影を行う。なお、このステップに来る前にＳ８を経由している場合には、閃光発光部３０により撮影補助照明光を発光させる。
【００２０】
また、本実施例のカメラは、通常の撮影モードの他に、近接撮影に適した撮影条件を自動的に選択するマクロモードに設定することができ、その切り替えを行う不図示のマクロモード切替部を備えている。このマクロモード切替部によりマクロモードに設定されたときには、図３に示した動作を行わず、撮影補助照明光の発光は、常にＬＥＤ４０により行われる。
【００２１】
本実施例によれば、レンズ鏡筒の被写体側の先端部分にＬＥＤ４０を設け、このＬＥＤ４０によりＡＦ補助光の発光、及び、撮影補助照明光の発光が可能である。よって、暗所においても後付けのリングフラッシュ等の特別な照明装置を用いずにマクロ撮影を簡単に行える。また、ＬＥＤ４０は、発光ダイオードであることから、キセノン放電管を用いた閃光発光装置と異なり、ＦＰＣ１８を利用した配線を行うことができる。したがって、レンズ鏡筒の動作に支障を与えず、また、大型化することなくＬＥＤ４０を設けることができる。
【００２２】
（変形例）
以上説明した実施例に限定されることなく、種々の変形や変更が可能であって、それらも本発明の均等の範囲内である。
例えば、本実施例において、ＬＥＤ４０は、１つの発光ダイオードとした例を示したが、これに限らず、例えば、複数個の発光ダイオードをレンズ鏡筒の先端部分に配置してもよい。その場合、被写体輝度、被写体までの距離等の撮影条件に応じて、発光させる発光ダイオードの個数を変更してもよい。
【図面の簡単な説明】
【００２３】
【図１】本発明のカメラの実施例を示す図である。
【図２】レンズ鏡筒が最も繰り出した状態を示す断面図である。
【図３】本実施例のカメラの動作の流れを示す図である。
【符号の説明】
【００２４】
１４：１群筒、１８：フレキシブルプリント配線板、３０：閃光発光部、４０：ＬＥＤ
【図１】
2007133150.tif 000003
【図２】
2007133150.tif 000004
【図３】
2007133150.tif 000005